(57)【要約】【課題】会員登録を行うことなく、サービスの内容の一部を確認することを可能とし、サービスの利用促進を図る。【解決手段】音声プロフィールサービスへの会員登録を行った場合には、音声プロフィールサービス専用のアプリケーション経由のページだけでなく、ブラウザ経由で閲覧可能な会員ページのＵＲＬが設定される。そして、会員ページにおいては、会員登録の際に必須の項目に対する回答のみを再生可能とする等の再生についての一定の制限を設ける。【選択図】図１
2014032449.tif 000002
【特許請求の範囲】
【請求項１】
利用者の端末装置にインストールされたアプリケーションを介して、当該利用者に所定のサービスを提供し、前記利用者に提示した複数のテーマのそれぞれに対する前記利用者からの応答の内容を管理する管理装置であって、
会員登録に必要な項目を前記端末装置から取得して会員登録を行う登録部と、
前記複数のテーマのそれぞれに対する前記利用者の応答の内容を前記端末装置から取得して当該応答の内容を管理する管理部と、
前記登録部で会員登録が行われたことを条件として、前記利用者の会員ページを示すアドレス情報を外部のサービスに通知を可能にする通知部と、
前記アプリケーション経由で前記複数の全てのテーマにアクセス可能にする一方、前記会員ページ経由では、前記複数のテーマのうち一部のテーマだけに制限してアクセス可能にする制御部とを備える、
ことを特徴とする管理装置。
【請求項２】
前記複数のテーマには特定テーマが含まれ、且つ、前記会員登録に必要な項目には当該特定テーマが含まれることを特徴とする請求項１に記載の管理装置。
【請求項３】
前記一部のテーマには前記特定テーマが含まれることを特徴とする請求項２に記載の管理装置。
【請求項４】
前記アドレス情報には、前記会員登録を行った前記利用者に関する情報が含まれており、ブラウザ経由で前記会員ページに対してアクセスが行われた場合には、前記アドレス情報に含まれる前記利用者に関する情報に基づいて、当該利用者の前記一部のテーマに対する応答の内容に対するアクセス先を取得する取得部と、前記アクセス先を含み、前記アドレス情報に基づいて表示される前記会員ページの表示情報を生成する表示制御部とを備えることを特徴とする請求項１に記載の管理装置。
【請求項５】
前記表示制御部は、前記アドレス情報に基づいて表示されるページに、前記アプリケーションを配信するページへのリンクを貼り付けることを特徴とする請求項４に記載の管理装置。
【請求項６】
利用者の端末装置と、当該端末装置と通信可能で、当該端末装置にインストールされたアプリケーションを介して、当該利用者に所定のサービスを提供する管理装置であって、前記利用者に提示した複数のテーマのそれぞれに対する前記利用者からの応答の内容を管理する管理装置とを備えるサービス提供システムであって、
前記管理装置は、
会員登録に必要な項目を前記端末装置から取得して会員登録を行う登録部と、
前記複数のテーマのそれぞれに対する前記利用者の応答の内容を前記端末装置から取得して当該応答の内容を管理する管理部と、
前記登録部で会員登録が行われたことを条件として、前記利用者の会員ページを示すアドレス情報を外部のサービスに通知を可能にする通知部と、
前記アプリケーション経由で前記複数の全てのテーマにアクセス可能にする一方、前記会員ページ経由では、前記複数のテーマのうち一部のテーマだけに制限してアクセス可能にする制御部とを備え
前記端末装置は、
アプリケーションを介して前記テーマに対する前記応答を入力する入力部と、
ブラウザ経由で前記複数のテーマに対する前記応答に対してアクセス可能なページを表示する表示部とを備える、
ことを特徴とするサービス提供システム。
【請求項７】
利用者の端末装置にインストールされたアプリケーションを介して、当該利用者に所定のサービスを提供する管理装置であって、前記利用者に提示した複数のテーマのそれぞれに対する前記利用者からの応答の内容を管理する管理装置の制御方法であって、
会員登録に必要な項目を前記端末装置から取得して会員登録を行い、
前記複数のテーマのそれぞれに対する前記利用者の応答の内容を前記端末装置から取得して当該応答の内容を管理し、
前記会員登録が行われたことを条件として、前記利用者の会員ページを示すアドレス情報を外部のサービスに通知を可能にし、
前記アプリケーション経由で前記複数の全てのテーマにアクセス可能にする一方、前記会員ページ経由では、前記複数のテーマのうち一部のテーマだけに制限してアクセス可能にする、
ことを特徴とする管理装置の制御方法。
【請求項８】
利用者の端末装置にインストールされたアプリケーションを介して、当該利用者に所定のサービスを提供する管理装置であって、前記利用者に提示した複数のテーマのそれぞれに対する前記利用者からの応答の内容を管理するコンピュータを備える管理装置のプログラムであって、
前記コンピュータを、
会員登録に必要な項目を前記端末装置から取得して会員登録を行う登録部と、
前記複数のテーマのそれぞれに対する前記利用者の応答の内容を前記端末装置から取得して当該応答の内容を管理する管理部と、
前記登録部で会員登録が行われたことを条件として、前記利用者の会員ページを示すアドレス情報を外部のサービスに通知を可能にする通知部と、
前記アプリケーション経由で前記複数の全てのテーマにアクセス可能にする一方、前記会員ページ経由では、前記複数のテーマのうち一部のテーマだけに制限してアクセス可能にする制御部として機能させる、
ことを特徴とする管理装置のプログラム。
【発明の詳細な説明】
【技術分野】
【０００１】
本発明は、所定のサービスの利用を促進させる技術に関する。
【背景技術】
【０００２】
近年、インターネット上で提供するサービスが急速に普及している。この種のサービスの一つとして、互いのプロフィールを交換するサービスが知られている。例えば、特許文献１には、利用者のそれぞれが入力したプロフィールを利用者同士で交換することにより、利用者同士の親交を深める技術が開示されている。
【先行技術文献】
【特許文献】
【０００３】
【特許文献１】特開２００７−２９３７４７号公報
【発明の概要】
【発明が解決しようとする課題】
【０００４】
しかしながら、このようなサービスには、会員登録を行った上で、専用のアプリケーションをインストールしないと、サービスの内容を確認できないもの少なくない。その結果、内容を確認できないサービスに会員登録を行うことに対する抵抗感から、新規登録者数が増加しないという問題があった。
本発明は、この点に鑑みてなされたものであり、会員登録を行うことなく、サービスの内容の一部を確認することを可能とし、サービスの利用促進を図ることなどを解決課題とする。
【課題を解決するための手段】
【０００５】
以上の課題を解決するために本発明が採用する手段を以下に説明する。なお、本発明の理解を容易にするために以下では図面の参照符号を便宜的に括弧書で付記するが、本発明を図示の形態に限定する趣旨ではない。
【０００６】
上述した課題を解決するため、本発明に係る管理装置（１）は、利用者の端末装置（２）にインストールされたアプリケーションを介して、当該利用者に所定のサービスを提供し、前記利用者に提示した複数のテーマのそれぞれに対する前記利用者からの応答の内容を管理する管理装置（１）であって、会員登録に必要な項目を前記端末装置（２）から取得して会員登録を行う登録部（１２）と、前記複数のテーマのそれぞれに対する前記利用者の応答の内容を前記端末装置（２）から取得して当該応答の内容を管理する管理部（１２）と、前記登録部（１２）で会員登録が行われたことを条件として、前記利用者の会員ページを示すアドレス情報を外部のサービスに通知を可能にする通知部（１３）と、前記アプリケーション経由で前記複数の全てのテーマにアクセス可能にする一方、前記会員ページ経由では、前記複数のテーマのうち一部のテーマだけに制限してアクセス可能にする制御部（１１）とを備えることを特徴とする。
この発明において、管理部は、管理装置に備えた記憶部に記憶させた前記応答の内容を管理してもよいし、管理装置の外部に設けた記憶部に記憶させた前記応答の内容を管理してもよい。テーマに対する応答は、音声によるものでもよいし、テキストや画像等によるものでもよい。テーマは、プロフィール、質問項目、お題等を含む概念である。応答は、テキスト入力、応答入力、画像入力を含む概念である。アクセスは閲覧、再生、視聴を含む概念である。制限とは、アクセス可能な項目を制限する場合、アクセス可能な時間を制限する場合を含む概念である。
【０００７】
上述した管理装置（１）において、前記複数のテーマには特定テーマが含まれ、且つ、前記会員登録に必要な項目には当該特定テーマが含まれるようにしてもよい。
【０００８】
上述した管理装置（１）において、前記一部のテーマには前記特定テーマが含まれるようにしてもよい。
【０００９】
上述した管理装置（１）において、前記アドレス情報には、前記会員登録を行った前記利用者に関する情報が含まれており、前記ブラウザ経由で前記会員ページに対してアクセスが行われた場合には、前記アドレス情報に含まれる前記利用者に関する情報に基づいて、当該利用者の前記一部のテーマに対する応答の内容に対するアクセス先を取得する取得部（１４）と、前記アクセス先を含み、前記アドレス情報に基づいて表示される前記会員ページの表示情報を生成する表示制御部（１８）とを備えるようにしてもよい。
【００１０】
上述した管理装置（１）において、前記表示制御部（１８）は、前記アドレス情報に基づいて表示されるページに、前記アプリケーションを配信するページへのリンクを貼り付けるようにしてもよい。
【００１１】
上述した課題を解決するため、本発明に係るサービス提供システムは、利用者の端末装置（２）と、当該端末装置（２）と通信可能で、当該端末装置（２）にインストールされたアプリケーションを介して、当該利用者に所定のサービスを提供する管理装置（１）であって、前記利用者に提示した複数のテーマのそれぞれに対する前記利用者からの応答の内容を管理する管理装置（１）とを備えるサービス提供システムであって、前記管理装置（１）は、会員登録に必要な項目を前記端末装置（２）から取得して会員登録を行う登録部（１２）と、前記複数のテーマのそれぞれに対する前記利用者の応答の内容を前記端末装置（２）から取得して当該応答の内容を管理する管理部（１２）と、前記登録部（１２）で会員登録が行われたことを条件として、前記利用者の会員ページを示すアドレス情報を外部のサービスに通知を可能にする通知部（１３）と、前記アプリケーション経由で前記複数の全てのテーマにアクセス可能にする一方、前記会員ページ経由では、前記複数のテーマのうち一部のテーマだけに制限してアクセス可能にする制御部（１１）とを備え、前記端末装置（２）は、アプリケーションを介して前記テーマに対する前記応答を入力する入力部（２１）と、前記ブラウザ経由で前記複数のテーマに対する前記応答に対してアクセス可能なページを表示する表示部（２３）とを備えることを特徴とする。
【００１２】
上述した課題を解決するため、本発明に係る管理装置（１）の制御方法は、利用者の端末装置（２）にインストールされたアプリケーションを介して、当該利用者に所定のサービスを提供する管理装置（１）であって、前記利用者に提示した複数のテーマのそれぞれに対する前記利用者からの応答の内容を管理する管理装置（１）の制御方法であって、会員登録に必要な項目を前記端末装置（２）から取得して会員登録を行い、前記複数のテーマのそれぞれに対する前記利用者の応答の内容を前記端末装置（２）から取得して当該応答の内容を管理し、前記会員登録が行われたことを条件として、前記利用者の会員ページを示すアドレス情報を外部のサービスに通知を可能にし、前記アプリケーション経由で前記複数の全てのテーマにアクセス可能にする一方、前記会員ページ経由では、前記複数のテーマのうち一部のテーマだけに制限してアクセス可能にすることを特徴とする。
【００１３】
上述した課題を解決するため、本発明に係る管理装置（１）のプログラムは、利用者の端末装置（２）にインストールされたアプリケーションを介して、当該利用者に所定のサービスを提供する管理装置（１）であって、前記利用者に提示した複数のテーマのそれぞれに対する前記利用者からの応答の内容を管理するコンピュータ（３０）を備える管理装置（１）のプログラムであって、前記コンピュータを、会員登録に必要な項目を前記端末装置（２）から取得して会員登録を行う登録部（１２）と、前記複数のテーマのそれぞれに対する前記利用者の応答の内容を前記端末装置（２）から取得して当該応答の内容を管理する管理部（１２）と、前記登録部（１２）で会員登録が行われたことを条件として、前記利用者の会員ページを示すアドレス情報を外部のサービスに通知を可能にする通知部（１３）と、前記アプリケーション経由で前記複数の全てのテーマにアクセス可能にする一方、前記会員ページ経由では、前記複数のテーマのうち一部のテーマだけに制限してアクセス可能にする制御部（１１）として機能させることを特徴とする。
また、上記プログラムは記録媒体に記憶させても良い。この記録媒体を用いれば、例えば上記コンピュータに上記プログラムをインストールすることができる。ここで、上記プログラムを記憶した記録媒体は、ＣＤ−ＲＯＭ等の非一過性の記録媒体であっても良い。
【図面の簡単な説明】
【００１４】
【図１】本発明の第１実施形態に係るサービス提供システムのブロック図である。
【図２】利用者情報テーブルのデータ構造の一例を示す説明図である。
【図３】管理サーバの構成を示すブロック図である。
【図４】端末装置の構成を示すブロック図である。
【図５】端末装置のトップページの一例を示す説明図である。
【図６】端末装置の新規登録ページの一例を示す説明図である。
【図７】端末装置の新規登録ページの一例を示す説明図である。
【図８】端末装置のマイプロフページの一例を示す説明図である。
【図９】端末装置のマイプロフページの一例を示す説明図である。
【図１０】ボイスログテーブルのデータ構造の一例を示す説明図である。
【図１１】ボイスマスターテーブルのデータ構造の一例を示す説明図である。
【図１２】端末装置のＳＮＳ連携ページの一例を示す説明図である。
【図１３】端末装置のプロフを教えるページの一例を示す説明図である。
【図１４】端末装置のＳＮＳページの一例を示す説明図である。
【図１５】端末装置のボイスプロフページの一例を示す説明図である。
【図１６】端末装置のボイスプロフページの一例を示す説明図である。
【図１７】端末装置のボイスページの一例を示す説明図である。
【図１８】端末装置の会員ページの一例を示す説明図である。
【図１９】会員ページ生成処理に関するサービス提供システムの動作シーケンスを示すシーケンス図である。
【発明を実施するための形態】
【００１５】
以下、実施形態として、本発明に係る管理サーバを用いたサービス提供システムについて、図面を参照しつつ説明する。
＜実施形態＞
＜１．サービス提供システムの構成＞
図１は、本発明の実施形態に係るサービス提供システム１００のブロック図である。このサービス提供システム１００は、インターネットなどの通信網ＮＥＴを介して、音声プロフィールサービスを提供する管理サーバ１と、利用者の端末装置２とを備える。
端末装置２には、音声プロフィールサービス用のネイティブアプリケーションがインストールされており、利用者は当該ネイティブアプリケーションを利用することにより、各自のプロフィール等をテキストや音声で入力することができる。また、利用者は、前記ネイティブアプリケーションを利用することにより、他の利用者が入力したプロフィール等を閲覧したり視聴することができる。管理サーバ１は、音声プロフィールサービスの利用者の情報や、利用者が入力した内容を管理している。さらに、本実施形態では、ブラウザを用いて利用者の会員ページにアクセスすることができ、利用者のプロフィール等の一部を閲覧したり視聴したりすることができる。
【００１６】
利用者の端末装置２は、通信網ＮＥＴを介した通信が可能であり、例えば、パーソナルコンピュータ、携帯電話機、スマートフォン、タブレット端末などが該当する。
管理サーバ１は、特定のサービスを提供する。本実施形態の管理サーバ１は、音声プロフィールサービスを利用者に提供する。本実施形態では、音声プロフィールサービスの提供を一例と説明するが、管理サーバ１は、ゴルフ情報アプリケーションの提供、ゲームなどのアプリケーションの提供、ホテルの予約などを含む旅行情報の提供、コンサート情報の提供、サービスや物品の販売を提供するものであってもよい。
【００１７】
図１を参照して、管理サーバ１の機能を説明する。管理サーバ１は、利用者情報テーブルＴＢＬ１１、ボイスログテーブルＴＢＬ１３、及び、ボイスマスターテーブルＴＢＬ１５を記憶した記憶部１５を備える。また、記憶部１５には、管理サーバ１を制御するプログラムが記憶されている。利用者情報テーブルＴＢＬ１１には、音声プロフィールサービスの利用者を一意に識別する識別情報ＵＩＤなどが格納されている。ボイスログテーブルＴＢＬ１３には、利用者が入力した音声に関する情報が記録される。ボイスマスターテーブルＴＢＬ１５には、各種設定値が記録されている。
【００１８】
管理サーバ１は、複数のテーマのそれぞれに対する利用者の応答の内容を端末装置２から取得して当該応答の内容を管理する管理部１０と、音声プロフィールサービス専用のアプリケーション経由で前記複数のテーマにアクセスがあった場合には、全てのテーマにアクセス可能にする一方、ブラウザを用いて前記会員ページ経由でアクセスがあった場合には、前記複数のテーマのうち一部のテーマだけに制限してアクセス可能にする制御部１１と、会員登録に必要な項目を端末装置２から取得して会員登録を行う登録部１２と、登録部１２で会員登録が行われたことを条件として、利用者の前記会員ページを示すアドレス情報を外部のサービスに通知することを可能にする通知部１３と、ブラウザ経由で前記会員ページに対してアクセスが行われた場合には、前記アドレス情報に含まれる前記利用者に関する情報に基づいて、当該利用者の前記一部のテーマに対する応答の内容に対するアクセス先を取得する取得部１４と、前記アクセス先を含み、前記アドレス情報に基づいて表示される前記会員ページの表示情報を生成する表示制御部１８と、上述した記憶部１５とを備えている。
【００１９】
図１を参照して、端末装置２の機能を説明する。端末装置２は、入力部２１と、表示部２３とを備える。入力部２１は、プロフィール、お題、あるいは自由なメッセージを音声により入力することができる。また、一部のプロフィールについてはテキストでも入力を行うことができる。表示部２３は、利用者のプロフィール、お題、あるいは自由なメッセージにアクセスするための画面を表示したり、あるいは、プロフィールやメッセージの録音または再生のボタンを表示したり、各画面に遷移するためのアイコン等を表示することができる。
【００２０】
図２に利用者情報テーブルＴＢＬ１１のデータ構造を示す。利用者情報テーブルＴＢＬ１１には登録情報として複数のレコードが記録されている。１つのレコードは、利用者を一意に識別する識別情報ＵＩＤ、登録日、プロフィール情報を含む。
【００２１】
プロフィール情報は、ニックネーム、プロフＩＤ、プロフィール画像の格納先、及び、プロフィールテキストを含む。ニックネームは、利用者が自由に決めることができる。ニックネームは、音声プロフィールサービスの様々な画面において利用者を示す情報として参照される。プロフＩＤは、他の利用者のプロフＩＤと重複しない限り、利用者が自由に決めることができる。本実施形態の音声プロフィールサービスにおいては、音声プロフィールサービス専用のネイティブアプリケーションをインストールしていなくても、ブラウザによって利用者のボイスプロフページを参照できるようになっているが、そのボイスプロフページのＵＲＬには、各自のプロフＩＤが含まれるようになっている。プロフィール画像は、所定のサイズ及び形式であれば、利用者が自由に選択することができる。利用者が選択したプロフィール画像は、管理サーバ１によって取得され、記憶部１５に保管される。なお、プロフィール画像は、管理サーバ１の外部に設けられた記憶部に保管されるようにしてもよい。プロフィール情報に含まれるプロフィール画像の格納先は、このようなプロフィール画像の保管先のアドレスを示すものである。プロフィールには利用者が自己紹介等を自由にテキストで入力することができるが、プロフィールテキストは、このような入力の内容に対応するテキストデータである。
【００２２】
なお、利用者情報テーブルＴＢＬ１１のレコードには、その他の情報を記録してもよい。また、利用者情報テーブルＴＢＬ１１に記憶すべき情報として、利用者の識別情報ＵＩＤは必須であるが、その他の情報は省略してもよい。さらに、利用者情報テーブルＴＢＬ１１をキーとなる情報（例えば、識別情報ＵＩＤ）で紐づけた複数のテーブルで構成し、リレーショナルデータベースとしてもよい。また、プログラムからアクセスする場合に、複数のテーブルを結合させて１つのテーブルであるかのように扱うようにしてもよい。具体的には、利用者情報テーブルＴＢＬ１１でプロフィール情報を記憶せず、識別情報ＵＩＤとプロフィール情報とを紐付けたテーブルを具備してもよい。すなわち、登録日やプロフィール情報などの各種情報が、識別情報ＵＩＤと紐付けられて管理されていればよく、識別情報ＵＩＤと各種情報が直接的に紐付けられずに、他の情報を介して間接的に紐付けられていてもよいのはもちろんである。
【００２３】
図３に管理サーバ１の構成を示す。この図に示すように、管理サーバ１は、装置全体を制御するＣＰＵ（Central Processing Unit）３０、ＣＰＵ３０の作業領域として機能するＲＡＭ（Random Access Memory）３１、ブートプログラムなどを記憶したＲＯＭ（Read Only Memory）３２、各種のプログラムやデータを記憶するハードディスク３３、キーボードやマウスなどを含む入力部３４、テキストや画像を表示するディスプレイ３５、通信網ＮＥＴを介して外部の装置と通信を行う通信インターフェース３６、及びコンパクトディスクなどの情報記録媒体を読み取る読取装置３７を備える。ハードディスク３３は、上述した記憶部１５に相当し、利用者情報テーブルＴＢＬ１１、ボイスログテーブルＴＢＬ１３、及び、ボイスマスターテーブルＴＢＬ１５を格納する。
【００２４】
図４に端末装置２の構成を示す。端末装置２は、装置全体を制御するＣＰＵ４０、ＣＰＵ４０の作業領域として機能するＲＡＭ４１、ブートプログラムなどを記憶したＲＯＭ４２、各種のプログラムやデータを記憶する記憶装置４３、テンキーなどを含む入力部４４、テキストや画像を表示するディスプレイ４５、及び通信網ＮＥＴを介して外部の装置と通信を行う通信インターフェース４６を備える。なお、入力部がタッチパネルである場合は、ディスプレイ４５がタッチパネルである入力部４４を兼ねることとなる。入力部４４は単一のデバイスで構成しても、複数のデバイスを組み合わせて構成しても良い。
【００２５】
＜２．サービス提供システムの動作＞
本実施形態のサービス提供システム１００では、管理サーバ１によって提供される音声プロフィールサービスを、利用者の端末装置２にインストールしたネイティブアプリケーションによって利用することが可能であり、各利用者は、プロフィール等を音声等で入力することができ、他の利用者の音声等によるプロフィール等を再生して聞くことができる。なお、本実施形態における音声プロフィールサービスは、端末装置２で起動させたブラウザを利用して会員ページにアクセスするによっても利用することができ、利用者の音声等によるプロフィール等の一部を再生して聞くことができる。
以下、音声プロフィールサービスで提供される各ページと、ブラウザを利用してアクセス可能なプロフィール等の一部を再生できる会員ページについて説明する。
【００２６】
＜２−１：トップページ＞
図５に本実施形態の音声プロフィールサービスのトップページＰ１の一例を示す。端末装置２にインストールされている音声プロフィールサービス用のネイティブアプリケーションを起動させて最初に表示される画面が図５に示すトップページＰ１である。
ネイティブアプリケーションが起動されると、端末装置２は管理サーバ１に対して人気プロフィール等の情報を要求する。この要求を受信した管理サーバ１は、端末装置２に対して人気プロフィール等の情報を送信する。そして、人気プロフィール等の情報を取得した端末装置２は、図５に示すトップページＰ１を表示させる。
トップページＰ１は、図５に示すように、タイトル表示領域Ａ１、検索窓Ａ２、上部バナーＡ３、選択タブＡ４、プロフィール紹介バナー表示領域Ａ５、下部バナーＡ７、メニューバーＡ８を備えている。
【００２７】
タイトル表示領域Ａ１には、そのページのタイトルが表示される。図５に示す例では、プロフィールを略した「プロフ」の文字が表示されている。検索窓Ａ２は、検索キーワードを入力して検索を実行できる領域であり、検索キーワードとしては、利用者のニックネームや後述するプロフＩＤが挙げられる。
上部バナーＡ３には、キャンペーンページへジャンプするバナー広告や、プロフィール一覧ページにジャンプするバナー等が表示される。複数のバナーがある場合には、フリック等により各バナーを表示させるようにすればよい。選択タブＡ４は、プロフィール紹介バナーのランキングの対象期間を選択するためのタブで、図５に示す例では、「今日」、「今週」、「すべて」の３種類のタブが表示される。
【００２８】
プロフィール紹介バナー表示領域Ａ５には、プロフィール紹介バナーＡ６がランキング表示される。プロフィール紹介バナー表示領域Ａ５はスクロールが可能になっており、多数のプロフィール紹介バナーＡ６を表示させることができる。ランキングは、例えばプロフィールページへのアクセス数の多い順とする。
プロフィール紹介バナーＡ６は、利用者のプロフィール画像Ａ９、ニックネーム表示Ａ１０、いいね数表示Ａ１１、コメント数表示Ａ１２、再生ボタンアイコンＡ１３、再生回数表示Ａ１４を備えている。プロフィール紹介バナーＡ６を押下することにより、各利用者のプロフィールページであるボイスプロフページへジャンプするようになっている。なお、再生ボタンアイコンＡ１３は、音声によるプロフィール入力が完了済みであることを示すもので、トップページＰ１においては、再生ボタンアイコンＡ１３を押下しても各利用者のプロフィールページであるボイスプロフページへジャンプする。但し、再生ボタンアイコンＡ１３を押下することにより、複数の音声プロフィールを連続再生させるようにしてもよいし、複数の音声プロフィールのうちの代表的な音声プロフィールを再生させるようにしてもよい。
【００２９】
下部バナーＡ７は、音声プロフィールサービスにおける会員登録が未登録の場合にのみ表示されるもので、下部バナーＡ７を押下することにより、新規登録を行うページにジャンプするようになっている。
メニューバーＡ８は、プロフアイコンＡ１５、ボイスアイコンＡ１６、お気に入りアイコンＡ１７、お知らせアイコンＡ１８、及び、マイプロフアイコンＡ１９を備えている。図５に示す例では、プロフアイコンＡ１５が選択された状態を示している。ボイスアイコンＡ１６が押下されると、ボイス一覧ページにジャンプするようになっている。ボイス一覧ページは、所定のお題に対する音声による回答や、利用者が自由に音声入力した内容等を再生可能なボイスページを一覧で紹介するページである。お気に入りアイコンＡ１６が押下されると、お気に入り登録したボイスページやボイスプロフページが一覧表示されるお気に入りページにジャンプするようになっている。お知らせアイコンＡ１７が押下されると、音声プロフィールサービスからのお知らせ等を表示するお知らせページにジャンプするようになっている。マイプロフアイコンＡ１８が押下されると、利用者本人のプロフィールページであるマイプロフページにジャンプするようになっている。
【００３０】
＜２−２：新規登録ページ＞
図６に音声プロフィールサービスへの新規登録時に表示される新規登録ページＰ２の一例を示す。例えば、図５に示す下部バナーＡ７を押下することにより、図６に示す新規登録時ページＰ２が表示される。なお、図６には新規登録時ページＰ２の全体を示しているが、端末装置２の表示部には、その表示部の大きさに応じて新規登録時ページＰ２の一部が表示され、スクロールを行うことにより、新規登録時ページＰ２の他の部分を表示させることができる。
新規登録ページＰ２は、タイトル表示領域Ｂ１、プロフィール編集領域Ｂ２、プロフボイス作成領域Ｂ１１、利用規約同意確認表示領域Ｂ１４、及び、登録ボタンＢ１５を備えている。
タイトル表示領域Ｂ１、そのページのタイトルが表示される。図６に示す例では、マイプロフィールを略した「マイプロフ」の文字が表示されている。なお、新規登録が完了した後に自分のプロフィールページとして表示されるページにもタイトルにはマイプロフと表示される。
【００３１】
プロフィール編集領域Ｂ２は、ニックネーム編集領域Ｂ３、プロフＩＤ表示領域Ｂ４、プロフィール画像編集領域Ｂ５、及び、プロフィールテキスト編集領域Ｂ６を備えている。
ニックネーム編集領域Ｂ３には、アイコンＢ７が表示されており、このアイコンＢ７を押下することによりテキスト入力画面が開き、ニックネームの入力が可能になっている。
プロフＩＤ表示領域Ｂ４には、アイコンＢ８が表示されており、このアイコンＢ８を押下することによりテキスト入力画面が開き、プロフＩＤの入力が可能になっている。プロフＩＤは、例えば、半角英数字１２文字以内で入力する。
プロフィール画像編集領域Ｂ５には、アイコンＢ９が表示されており、このアイコンＢ９を押下することにより、写真撮影または写真選択の画面が表示される。したがって、その場で写真撮影をしてプロフィール画像としてもよいし、予め撮影済みの写真等をプロフィール画像としてもよい。
プロフィールテキスト編集領域Ｂ６には、アイコンＢ１０が表示されており、このアイコンＢ１０を押下することにより、テキスト入力画面が表示され、１６０文字内で自由にプロフィールに関する文章を入力することができる。
【００３２】
プロフボイス作成領域Ｂ１１は、基本質問項目入力バナーＢ１２を備えている。基本質問項目入力バナー１２は、基本質問項目１から基本質問項目１０までの１０種類に分かれており、それぞれに録音状態表示アイコンＢ１３が表示されている。
それぞれの基本質問項目入力バナー１２を押下することにより、質問事項とそれに対する音声入力が可能な画面が表示される。入力が完了すると、録音状態表示アイコンＢ１３は、録音済みの状態を示す表示に変更される。図６に示す状態では、全ての質問項目に対する音声入力が未入力である状態を示している。
【００３３】
利用規約同意確認表示領域Ｂ１４には、チェックボタンと利用規約がリンク表示されており、このチェックボタンを押下してチェックした状態にしないと登録ができないようになっている。
登録ボタンＢ１５は、プロフィール編集領域Ｂ２に表示されている全ての編集項目に入力し、かつ、プロフボイス作成領域Ｂ１１に表示されている全ての基本質問項目に音声入力を行わないと有効にならない。つまり、これらの項目に一つでも未入力がある場合には、登録ボタンＢ１５は薄く表示され、押下することができない。しかし、全ての項目への入力が完了した後は、登録ボタンＢ１５は他のバナー等と同様に濃く表示され、押下することができる。
つまり、本実施形態においては、基本質問項目への音声入力が音声プロフィールサービスの会員登録に必須の入力項目となっており、全ての基本質問項目への音声入力を完了させることが会員登録の条件となっている。
【００３４】
図７に全ての項目への入力が完了した状態の新規登録時ページＰ２の全体を示す。図７に示すように、ニックネーム編集領域Ｂ３、プロフＩＤ表示領域Ｂ４、プロフィール画像編集領域Ｂ５、及び、プロフィールテキスト編集領域Ｂ６のそれぞれには入力した内容が表示される。但し、プロフィールテキスト編集領域Ｂ６は１６０文字の全てを表示することができないので、その一部が表示される。また、プロフボイス作成領域Ｂ１１の録音状態表示アイコンＢ１３は図７に示すように表示態様が変更される。
【００３５】
＜２−３：マイプロフページ＞
図８及び図９に利用者本人のプロフィールページであるマイプロフページＰ３の一例を示す。マイプロフページＰ３は表示項目が多いため、図８と図９に分けて表示している。なお、図８及び図９にはマイプロフページＰ３の全体を示しているが、端末装置２の表示部には、その表示部の大きさに応じてマイプロフページＰ３の一部が表示され、スクロールを行うことにより、マイプロフページＰ３の他の部分を表示させることができる。
また、図８び図９に示すマイプロフページＰ３は、利用者本人が閲覧可能なページであり、他の利用者がこの利用者本人のマイプロフページを閲覧する場合には後述するボイスプロフページが表示される。
マイプロフページＰ３は、図７に示す全項目入力済みの新規登録ページＰ２で登録ボタンＢ１５を押下した場合、あるいは、図５に示すトップページＰ１等で、メニューバーＡ８のマイプロフアイコンＡ１９を押下することにより表示される。
マイプロフページＰ３は、タイトル表示領域Ｃ１、プロフィール表示領域Ｃ２、プロフＩＤ表示領域Ｃ３、ＵＲＬ表示領域Ｃ４、メニュー表示領域Ｃ５、基本プロフボイス表示領域Ｃ６、追加プロフボイス表示領域Ｃ７、投稿ボイス表示領域Ｃ８、設定項目表示領域Ｃ９、及び、トップページＰ１等と共通のメニューバーＡ８を備えている。
【００３６】
タイトル表示領域Ｃ１には、そのページのタイトルが表示される。図８に示す例では、新規登録ページＰ２と同様に「マイプロフ」の文字が表示されている。
プロフィール表示領域Ｃ２には、プロフィール画像Ｃ１０、ニックネーム表示Ｃ１１、テキストによるプロフィール表示Ｃ１２、プロフィール編集ボタンＣ１３が表示される。プロフィール画像Ｃ１０、ニックネーム表示Ｃ１１、及び、テキストによるプロフィール表示Ｃ１２は、図７に示す新規登録ページＰ２で設定した内容がそのまま用いられる。プロフィール編集ボタンＣ１３を押下すると、プロフィール編集ページ（図示せず）にジャンプし、プロフィール画像、ニックネーム、及び、テキストによるプロフィールの編集が可能になる。
プロフＩＤ表示領域Ｃ３には、図７に示す新規登録ページＰ２で設定したプロフＩＤが表示される。
ＵＲＬ表示領域Ｃ４には、当該プロフＩＤを一部に含む会員ページのＵＲＬが表示される。当該会員ページのＵＲＬは、音声プロフィールサービスへの会員登録が行われたことを条件に設定されるもので、本実施形態では、上述したように、ニックネーム、プロフＩＤ、及びプロフィール画像の設定、テキストによるプロフィールの入力、並びに、全ての基本質問項目に対する音声による回答を行うことが会員登録の条件になっている。
そして、以上のような条件を満たして会員登録が行われると、会員ページのＵＲＬが設定されてＵＲＬ表示領域Ｃ４に表示されるので、会員登録した利用者は、メールや外部のＳＮＳ等のサービスに当該会員ページのＵＲＬを通知することが可能となる。
その結果、音声プロフィールサービス専用のネイティブアプリケーションをインストールしていない当該利用者の友達等、会員登録していない人達が当該会員ページのＵＲＬにアクセスすることが期待され、当該会員ページのＵＲＬにアクセスした場合には、音声プロフィールサービスに登録していない場合でも、ブラウザにより会員ページを閲覧できるようになっている。但し、後述するように、ブラウザを用いて閲覧される当該会員ページにおいては、基本プロフボイスの再生のみが可能で、他の音声は再生できないようになっている。しかし、基本プロフボイスの再生のみであっても、音声プロフィールサービスの内容の一部を確認することができるため、音声プロフィールサービスへの新規登録者が増加することが期待される。詳しくは後述する。
メニュー表示領域Ｃ５には、プロフボイス、投稿ボイス、及び、設定という表示が行われており、それぞれの表示を押下することにより、基本プロフボイス表示領域Ｃ６の先頭、投稿ボイス表示領域Ｃ８の先頭、設定項目表示領域Ｃ９の先頭にジャンプするようになっている。
【００３７】
基本プロフボイス表示領域Ｃ６には、図７に示す新規登録ページＰ２で入力した基本質問項目に対応する基本質問項目表示バナーＣ１４が表示される。図８には基本質問項目の一部しか表示されていないが、画面をスクロールすることにより、残りの基本質問項目も表示されるようになっている。また、基本質問項目表示バナーＣ１４は、質問項目表示Ｃ１５、いいね数表示Ｃ１６、コメント数表示Ｃ１７、録音状態表示アイコンＣ１８、及び、再生回数表示Ｃ１９を備えている。図８に示す基本質問項目表示バナーＣ１４の録音状態表示アイコンＣ１８は、対応する質問項目に対する回答が入力済みであることを示している。基本質問項目表示バナーＣ１４のそれぞれを押下することにより、後述するボイスページにジャンプし、質問項目表示Ｃ１５の質問項目に対する音声による回答を再生することが可能になっている。
追加プロフボイス表示領域Ｃ７には、基本質問項目以外の追加の質問項目を示す追加質問項目表示バナーＣ２０が表示される。図８には追加質問項目の一部しか表示されていないが、画面をスクロールすることにより、残りの追加質問項目も表示されるようになってい。また、追加質問項目表示バナーＣ２０は、追加質問項目表示Ｃ２１、いいね数表示Ｃ２２、コメント数表示Ｃ２３、録音状態表示アイコンＣ２４、及び、再生回数表示Ｃ２５を備えている。図８に示す追加質問項目表示バナーＣ２０の録音状態表示アイコンＣ２４は、対応する追加質問項目に対する回答が未入力であることを示している。未入力の追加質問項目表示バナーＣ２０を押下することにより、追加質問事項とそれに対する音声入力が可能な画面（図示せず）が表示される。入力が完了すると、録音状態表示アイコンＣ２４は、録音状態表示アイコンＣ１８のように録音済みの状態を示す表示に変更される。入力済みの追加質問項目表示バナーＣ２０のそれぞれを押下することにより、後述するボイスページにジャンプし、追加質問項目表示Ｃ２１の質問項目に対する音声による回答を再生することが可能になっている。
【００３８】
図９に示す投稿ボイス表示領域Ｃ８は、投稿ボイス表示バナーＣ３０、投稿テーマ表示Ｃ３１、いいね数表示Ｃ３２、コメント数表示Ｃ３３、録音状態表示アイコンＣ３４、再生回数表示Ｃ３５を備えている。
投稿ボイスは、基本質問項目や追加質問項目以外の自由な発言や、所定のお題に対する各利用者の音声による回答である。投稿テーマ表示Ｃ３１には、自由な発言であるFree Voice、あるいは所定のお題が表示される。録音状態表示アイコンＣ３４は、基本質問項目表示バナーＣ１４及び追加質問項目表示バナーＣ２０に表示されるアイコンと同様である。入力済みの投稿ボイス表示バナーＣ３０のそれぞれを押下することにより、後述するボイスページにジャンプし、投稿テーマ表示Ｃ３１の質問項目に対する音声による回答を再生することが可能になっている。マイプロフページＰ３等の最下部に表示されるメニューバーＡ８のボイスアイコンＡ１６を押下してボイス一覧ページを表示させ、ボイス一覧ページに表示されるボイス投稿バナー、あるいは、イベントタブを選択することにより表示される所定のお題のバナーを押下することにより、音声入力が可能な画面（図示せず）が表示される。この画面において、投稿ボイスの入力を行い、入力が完了すると、録音状態表示アイコンＣ３４は、図８に示す録音状態表示アイコンＣ２４のように未入力の状態を示す表示から、図９に示すような録音済みの状態を示す表示に変更される。
図９に示す投稿ボイス表示領域Ｃ８には、一部の投稿ボイスしか表示されていないが、画面をスクロールすることにより、残りの投稿ボイスも表示されるようになっている。また、投稿ボイス表示領域Ｃ８に表示される「すべてのボイスの投稿を見る」ボタンＣ３６を押下することにより、すべてのボイスの投稿を見ることができる。
【００３９】
設定項目表示領域Ｃ９には、友達にプロフを教えるバナーＣ４０、音声出力設定バナーＣ４１、ＳＮＳ連携バナーＣ４２、ブロックリストバナーＣ４３、及び、データ削除バナーＣ４４が表示される。
友達にプロフを教えるバナーＣ４０が押下されると、図１３に示す友達にプロフを教えるページにジャンプするようになっている。友達にプロフを教えるページでは、メールで教える方法、いくつかのＳＮＳに投稿する方法、及び、ＱＲコード（登録商標）で教える方法を選択できるようになっており、音声プロフィールサービスをまだ利用していない友達に、音声プロフィールサイトを紹介することができる。詳しくは後述する。
音声出力設定バナーＣ４１が押下されると、音声出力設定ページ（図示せず）にジャンプするようになっている。音声出力設定ページでは、スピーカー設定、フォンスピーカー設定、ヘッドフォン設定などを行うことができる。
ＳＮＳ連携バナーＣ４２が押下されると、図１２に示すＳＮＳ連携ページにジャンプするようになっている。ＳＮＳ連携ページでは、いくつかのＳＮＳとの連携を設定することができ、追加質問事項に対して音声で回答を行ったり、投稿ボイスとして音声による回答を投稿すると、連携を設定したＳＮＳにその旨が投稿され、前記ＵＲＬ表示領域Ｃ４に表示されるボイスプロフページのＵＲＬがリンク表示されるようになっている。その結果、音声プロフィールサービスをまだ利用していない友達に、音声プロフィールサービスを紹介することができる。詳しくは後述する。
ブロックリストバナーＣ４３が押下されると、ブロックリストページ（図示せず）が表示されるようになっている。ブロックリストページでは、ブロックした利用者が一覧表示されるようになっている。ブロックは、後述するボイスプロフページにおいて設定することができる。
データ削除バナーＣ４４が押下されると、データ削除ページ（図示せず）にジャンプするようになっている。データ削除ページでは、削除ボタンが表示され、当該削除ボタンが押下されることにより、今まで入力した全てのデータが削除される。
【００４０】
マイプロフページＰ３の最下部には、トップページＰ１等と共通のメニューバーＡ８が表示される。メニューバーＡ８は、プロフアイコンＡ１５、ボイスアイコンＡ１６、お気に入りアイコンＡ１７、お知らせアイコンＡ１８、及び、マイプロフアイコンＡ１９を備えている。それぞれのアイコンが押下された際のジャンプ先のページはトップページＰ１等と同様である。
【００４１】
＜２−４：ログ管理処理＞
次に、図１０及び図１１を参照して、本実施形態のログ管理処理について説明する。上述したように、本実施形態の音声プロフィールサービスでは、基本質問項目に対する回答、追加質問項目に対する回答、及び、投稿ボイスの大きく分けて３種類の音声入力が可能となっているが、全ての音声入力のログは、図１０に示すボイスログテーブルＴＢＬ１３に記録される。
ボイスログテーブルＴＢＬ１３は、ボイスＩＤフィールドＦ１、識別情報ＵＩＤフィールドＦ２、kindフィールドＦ３、日時フィールドＦ４、位置情報フィールドＦ５、及び、ファイル格納先フィールドＦ６を備えている。
ボイスＩＤフィールドＦ１には、それぞれの音声入力を一意に識別する情報であるボイスＩＤが記録される。ボイスＩＤは、音声入力された順序で連続的に付与される。
識別情報ＵＩＤフィールドＦ２には、音声入力を行った利用者の識別情報ＵＩＤが、利用者情報テーブルＴＢＬ１１を参照することにより記録される。
kindフィールドＦ３には、図１１に示すボイスマスターテーブルＴＢＬ１５を参照し、音声入力の種類に対応した数値が記録される。ボイスマスターテーブルＴＢＬ１５には、基本プロフボイス１〜１０、追加プロフボイス１〜１０、フリーボイス、イベントボイスという音声入力の種類に応じて、１から順に数値が割り当てられている。基本プロフボイス１〜１０は、基本質問項目１〜１０に対応しており、追加プロフボイス１〜１０は、追加質問項目１〜１０に対応している。
日時フィールドＦ４には、音声入力を行った日時が記録される。位置情報フィールドＦ５には、端末装置２における位置情報取得機能を有効にした場合には、音声入力を行った位置の位置情報が記録される。位置情報取得機能が無効の場合には、位置情報フィールドＦ５には、nullが記録される。ファイル格納先フィールドＦ６には、音声入力データの格納先のＵＲＬ等が記録される。
このようにして各音声入力を管理することにより、所定の利用者が、所定の質問項目等に回答済みかどうかを確認することができる。
【００４２】
＜２−５：ＳＮＳ連携ページ＞
図１２にＳＮＳ連携ページＰ８の一例を示す。ＳＮＳ連携ページＰ８は、図９に示す設定項目表示領域Ｃ９のＳＮＳ連携バナーＣ４２が押下した際に表示されるページであり、ＳＮＳ連携ページＰ８においてＳＮＳとの連携を設定することにより、ＳＮＳを通じて会員ページのＵＲＬを通知することが可能になっている。
設定項目表示領域Ｃ９を備えるマイプロフページＰ３は、音声プロフィールサービスに対する会員登録を行ったことを条件に表示されるページなので、その意味で、本実施形態では、会員登録を行ったことを条件に、会員ページを通知することが可能になっていると言うことができる。
ＳＮＳ連携ページＰ８は、タイトル表示領域Ｈ１、ＳＮＳ設定領域Ｈ２、及び、各ページに共通のメニューバーＡ８を備えている。
タイトル表示領域Ｈ１にはそのページのタイトルが表示される。図１２に示す例では、「ＳＮＳ連携」の文字が表示されている。また、タイトル表示領域Ｈ１には戻るボタンＨ１０が表示されており、戻るボタンＨ１０が押下されると、図９に示す設定項目表示領域Ｃ９のＳＮＳ連携バナーＣ４２が表示される画面に戻るようになっている。
ＳＮＳ設定領域Ｈ２には、「ＳＮＳ１で連携」バナーＨ２０、「ＳＮＳ２で連携」バナーＨ２１、「ＳＮＳ３で連携」バナーＨ２２が表示される。
【００４３】
「ＳＮＳ１で連携」バナーＨ２０、「ＳＮＳ２で連携」バナーＨ２１、「ＳＮＳ３で連携」バナーＨ２２が押下されると、音声プロフィールサービスが、利用者本人のログイン情報を用いて当該利用者本人としてそれぞれのＳＮＳにログインし、アクセスを行うことを承認するか否かを確認する画面（図示せず）が表示される。当該画面で当該承認を行う旨のボタン等を押下することにより、音声プロフィールサービスとそれぞれのＳＮＳとの連携が行われることになる。
具体的には、音声プロフィールサービスにおいて、利用者がプロフィールについての音声入力を行った場合、上述したFree Voiceでの自由な音声入力を行った場合、あるいは、所定のお題に対する音声入力を行った場合には、その都度、音声プロフィールサービスが、利用者本人のログイン情報を用いて当該利用者本人としてそれぞれのＳＮＳにログインし、以上のような音声入力を行った旨の投稿を行う。また、この投稿には、会員ページのＵＲＬのリンクも含まれている。
その結果、それぞれのＳＮＳの利用者に対して、音声プロフィールサービスにおける前記利用者本人の会員ページへのアクセス先を知らせることができる。当該投稿を見たＳＮＳの利用者が、文面に表示されている会員ページのＵＲＬにアクセスした場合の処理については後述する。
【００４４】
メニューバーＡ８は、プロフアイコンＡ１５、ボイスアイコンＡ１６、お気に入りアイコンＡ１７、お知らせアイコンＡ１８、及び、マイプロフアイコンＡ１９を備えている。それぞれのアイコンが押下された際のジャンプ先のページはトップページＰ１等と同様である。
【００４５】
＜２−６：プロフを教えるページ＞
図１３にプロフを教えるページＰ７の一例を示す。プロフを教えるページＰ７は、図９に示す設定項目表示領域Ｃ９の友達にプロフを教えるバナーＣ４０を押下した際に表示されるページであり、会員ページのＵＲＬを友達等に教えるために用いられるページである。
設定項目表示領域Ｃ９を備えるマイプロフページＰ３は、音声プロフィールサービスに対する会員登録を行ったことを条件に表示されるページなので、その意味で、本実施形態では、会員登録を行ったことを条件に、会員ページを通知することが可能になっていると言うことができる。
プロフを教えるページＰ７は、タイトル表示領域Ｊ１、報知方法設定領域Ｊ２、及び、各ページに共通のメニューバーＡ８を備えている。
タイトル表示領域Ｊ１にはそのページのタイトルが表示される。図１３に示す例では、「プロフを教える」の文字が表示されている。また、タイトル表示領域Ｊ１には戻るボタンＪ１０が表示されており、戻るボタンＪ１０が押下されると、図９に示す設定項目表示領域Ｃ９のプロフを教えるバナーＣ４０が表示される画面に戻るようになっている。
報知方法設定領域Ｊ２には、「メールで教える」バナーＪ２０、「ＳＮＳ１で投稿」バナーＪ２１、「ＳＮＳ２で投稿」バナーＪ２２、「ＳＮＳ３で投稿」バナーＪ２３、「ＱＲコードで教える」バナーＪ２４が表示される。
【００４６】
「メールで教える」バナーＪ２０が押下されると、メール作成画面（図示せず）が表示され、当該画面には、例えば、友達等に自分の会員ページを教える文面と共に、前記ＵＲＬ表示領域Ｃ４に表示される会員ページのＵＲＬのリンクが表示されるようになっている。文面は自由に変更することが可能であるが、このままの文面でメール送信してもよい。送信する文面が決定された後は、メールの送信先を指定し、メールを送信する。その結果、音声プロフィールサービスを知らない友達等に会員ページへのアクセス先を知らせることができる。当該メールを受信した友達等が、文面に表示されている会員ページのＵＲＬにアクセスした場合の処理については後述する。
【００４７】
「ＳＮＳ１で投稿」バナーＪ２１、「ＳＮＳ２で投稿」バナーＪ２２、「ＳＮＳ３で投稿」バナーＪ２３については、上述したＳＮＳ連携ページにおいて、いずれかのＳＮＳとの連携処理が完了しており、かつ、いずれかのＳＮＳにログインした状態でなければ、選択することができない。
例えば、ＳＮＳ１との連携処理が完了しており、ＳＮＳ１へログインした状態で「ＳＮＳ１で投稿」バナーＪ２１が押下されると、端末装置２から管理サーバ１に対してＳＮＳ１への投稿要求が送信される。投稿要求を受信した管理サーバ１は、例えば、前記ＵＲＬ表示領域Ｃ４に表示される会員ページのＵＲＬのリンクが貼り付けられると共に、利用者本人の会員ページを教える文面を予め記憶しており、当該文面の投稿をＳＮＳ１に対して行う。その結果、ＳＮＳ１の利用者に対して、音声プロフィールサービスにおける前記利用者本人の会員ページへのアクセス先を知らせることができる。当該投稿を見たＳＮＳ１の利用者が、文面に表示されている会員ページのＵＲＬにアクセスした場合の処理については後述する。
ＳＮＳ２との連携処理が完了しており、ＳＮＳ２へログインした状態で「ＳＮＳ２で投稿」バナーＪ２２が押下された場合、及び、ＳＮＳ３との連携処理が完了しており、ＳＮＳ３へログインした状態で「ＳＮＳ３で投稿」バナーＪ２３が押下された場合も同様の処理が行われる。
【００４８】
「ＱＲコードで教える」バナーＪ２４が押下されると、ＱＲコードページ（図示せず）が表示され、ＱＲコードページには、前記ＵＲＬ表示領域Ｃ４に表示される会員ページのＵＲＬに基づいて作成されたＱＲコードが表示される。また、ＱＲコードページには、例えば、メール送信ボタンと画像保存ボタンが表示され、メール送信ボタンが押下された場合には、メールの送信画面が表示され、宛先を指定することにより、ＱＲコードを送信することが可能になる。また、画像保存ボタンが押下された場合には、ＱＲコードが画像として保存され、後ほどメール等でＱＲコードを送信することができる。その結果、音声プロフィールサービスを知らない友達等にＱＲコードによって会員ページフへのアクセス先を知らせることができる。当該ＱＲコードを受信した友達等が、当該ＱＲコードを用いて会員ページのＵＲＬにアクセスした場合の処理については後述する。
【００４９】
メニューバーＡ８は、プロフアイコンＡ１５、ボイスアイコンＡ１６、お気に入りアイコンＡ１７、お知らせアイコンＡ１８、及び、マイプロフアイコンＡ１９を備えている。それぞれのアイコンが押下された際のジャンプ先のページはトップページＰ１等と同様である。
【００５０】
＜２−７：ＳＮＳへの投稿例＞
図１４に所定のＳＮＳへの投稿例を示す。図１４は所定のＳＮＳにおける利用者のマイページＰ９の一例を示す。プロフを教えるページＰ７の「ＳＮＳ１で投稿」バナーＪ２１、「ＳＮＳ２で投稿」バナーＪ２２、あるいは、「ＳＮＳ３で投稿」バナーＪ２３が押下された場合には、音声プロフィールサービスにおいて利用者が音声入力を行うと、例えば、図１４に示すように、当該利用者のＳＮＳ上の友達のマイページＰ９に、音声プロフィールサービスによるプロフィール登録が行われた旨の投稿Ｌ１が行われる。
当該投稿Ｌ１は、音声プロフィールサービスにおいてＳＮＳ上の友達によるプロフィール登録が行われた旨の表示Ｌ２、当該投稿に対するいいね、あるいはコメント等の評価Ｌ３、及び、音声プロフィールサービスに対する新規登録ページへのリンク表示Ｌ４を備える。
プロフィール登録が行われた旨の表示Ｌ２には、当該友達の会員ページへのリンク表示が含まれている。音声プロフィールサービスに対する新規登録ページへのリンク表示Ｌ４は、当該友達の会員ページへのリンク表示としてもよい。
所定のＳＮＳにおいて、このような投稿が行われることにより、音声プロフィールサービスの存在を知らない当該所定のＳＮＳの利用者が、音声プロフィールサービスに興味を示すことが期待され、前記投稿に含まれる会員ページへのリンク表示等を押下して会員ページ等を閲覧した場合には、当該ＳＮＳの利用者が、音声プロフィールサービスに新規登録することも期待される。なお、当該ＳＮＳの利用者が、会員ページのＵＲＬにアクセスした場合の処理については後述する。
【００５１】
＜２−８：ボイスプロフページ＞
次に、図５に示すトップページＰ１、あるいは、ボイス一覧ページ等における投稿ボイス表示バナー等に表示される利用者のプロフィール画像を押下した際に表示されるボイスプロフページについて説明する。
図１５及び図１６にボイスプロフページＰ４の一例を示す。このボイスプロフページＰ４は、利用者本人のプロフィールページＰ３が他の利用者の端末装置２で表示されるページである。ボイスプロフページＰ４に表示される項目は、基本的にはマイプロフページＰ３と同様であるが、設定項目は表示されない。本実施形態では、ボイスプロフページＰ４を図１５と図１６に分けて表示している。なお、図１５及び図１６にはボイスプロフページＰ４の全体を示しているが、端末装置２の表示部には、その表示部の大きさに応じてボイスプロフページＰ４の一部が表示され、スクロールを行うことにより、ボイスプロフページＰ４の他の部分を表示させることができる。
ボイスプロフページＰ４は、図７に示す全項目入力済みの新規登録ページＰ２で登録ボタンＢ１５を押下した場合、あるいは、図５に示すトップページＰ１等で、投稿ボイス表示バナー等に表示される利用者のプロフィール画像を押下することにより表示される。
ボイスプロフページＰ４は、タイトル表示領域Ｄ１、プロフィール表示領域Ｄ２、お気に入りボタンＤ３、ブロックボタンＤ４、プロフＩＤ表示領域Ｄ５、ＵＲＬ表示領域Ｄ６、基本プロフボイス表示領域Ｄ７、追加プロフボイス表示領域Ｄ８、投稿ボイス表示領域Ｄ９、及び、トップページＰ１等と共通のメニューバーＡ８を備えている。
【００５２】
タイトル表示領域Ｄ１には、そのページのタイトルが表示される。図１５に示す例では、ボイスプロフィールを略した「ボイスプロフ」の文字が表示されている。
プロフィール表示領域Ｄ２には、プロフィール画像Ｄ１０、ニックネーム表示Ｄ１１、テキストによるプロフィール表示Ｄ１２が表示される。プロフィール画像Ｄ１０、ニックネーム表示Ｄ１１、及び、テキストによるプロフィール表示Ｄ１２は、図７に示す新規登録ページＰ２で設定した内容がそのまま用いられる。
お気に入りボタンＤ３が押下されると、当該利用者のボイスプロフがお気に入り一覧ページ（図示せず）に登録される。お気に入り一覧ページは、メニューバーＡ８のお気に入りアイコンＡ１６が押下された場合に表示される。
ブロックボタンＤ４が押下されると、当該利用者はブロックされ、当該利用者の端末装置２から、ブロックした利用者のマイプロフページＰ４や投稿ボイス表示バナーＤ３０が表示されなくなる。ブロックした利用者の一覧ページ（図示せず）は、図９に示すマイプロフページＰ３のブロックリストバナーＣ４３が押下された場合に表示される。
【００５３】
以下、プロフＩＤ表示領域Ｄ５、ＵＲＬ表示領域Ｄ６、基本プロフボイス表示領域Ｄ７、追加プロフボイス表示領域Ｄ８、投稿ボイス表示領域Ｄ９、及び、メニューバーＡ８における表示内容は、基本的にマイプロフページＰ３と同様である。
プロフＩＤ表示領域Ｄ５には、図７に示す新規登録ページＰ２で設定したプロフＩＤが表示され、ＵＲＬ表示領域Ｄ６には、当該プロフＩＤを一部に含むボイスプロフページのＵＲＬが表示される。当該ＵＲＬにアクセスすることにより、音声プロフィールサービスに登録していない場合でも、ボイスプロフページを閲覧できるようになっている。但し、当該ＵＲＬ経由で表示されるボイスプロフページにおいては、基本プロフボイスの再生のみが可能で、他の音声は再生できないようになっている。
【００５４】
基本プロフボイス表示領域Ｄ７には、図７に示す新規登録ページＰ２で入力した基本質問項目に対応する基本質問項目表示バナーＤ１３が表示される。図１５には基本質問項目の一部しか表示されていないが、画面をスクロールすることにより、残りの基本質問項目も表示されるようになっている。また、基本質問項目表示バナーＤ１３には、質問項目表示Ｄ１４、いいね数表示Ｄ１５、コメント数表示Ｄ１６、再生ボタンアイコンＤ１７、及び、再生回数表示Ｄ１８が表示される。図８に示す基本質問項目表示バナーＤ１３の再生ボタンアイコンＤ１７は、対応する質問項目に対する回答を再生可能であることを示している。基本質問項目表示バナーＤ１３のそれぞれを押下することにより、後述するボイスページにジャンプし、質問項目表示Ｄ１４の質問項目に対する音声による回答を再生することが可能になっている。
追加プロフボイス表示領域Ｄ８には、音声による回答を行った追加の質問項目のみが表示されるようになっている。図１５には追加質問項目の一部しか表示されていないが、画面をスクロールすることにより、残りの追加質問項目も表示されるようになっている。また、追加質問項目表示バナーＤ２０には、追加質問項目表示Ｄ２１、いいね数表示Ｄ２２、コメント数表示Ｄ２３、再生ボタンアイコンＤ２４、及び、再生回数表示Ｄ２５が表示される。図１５に示す追加質問項目表示バナーＤ２０の再生ボタンアイコンＤ２４は、対応する質問項目に対する回答を再生可能であることを示している。追加質問項目表示バナーＤ２０のそれぞれを押下することにより、後述するボイスページにジャンプし、追加質問項目表示Ｄ２１の追加質問項目に対する音声による回答を再生することが可能になっている。
【００５５】
図１６に示す投稿ボイス表示領域Ｄ９には、投稿ボイス表示バナーＤ３０、投稿テーマ表示Ｄ３１、いいね数表示Ｄ３２、コメント数表示Ｄ３３、再生ボタンアイコンＤ３４、再生回数表示Ｄ３５が表示される。投稿ボイス表示領域Ｄ９には、音声による入力を行った投稿ボイスのみが表示されるようになっている。図１６には投稿ボイスの一部しか表示されていないが、画面をスクロールすることにより、残りの投稿ボイスも表示されるようになってい。また、投稿ボイス表示バナーＤ３０には、投稿テーマ表示Ｄ３１、いいね数表示Ｄ３２、コメント数表示Ｄ３３、再生ボタンアイコンＤ３４、及び、再生回数表示Ｄ３５が表示される。図１６に示す投稿ボイス表示バナーＤ３０の再生ボタンアイコンＤ３４は、対応する質問項目に対する回答を再生可能であることを示している。投稿ボイス表示バナーＤ３０のそれぞれを押下することにより、後述するボイスページにジャンプし、投稿テーマ表示Ｄ３１のテーマに対する音声による回答を再生することが可能になっている。
【００５６】
投稿ボイス表示領域Ｄ９には、最新の投稿から順に、１０件の投稿ボイスのリストが表示されるようになっており、投稿ボイスが１１件以上ある場合には、図１６に示すように、投稿ボイス表示領域Ｄ９の下方に、もっと見るボタンＤ３６が表示される。もっと見るボタンＤ３６が押下されると、１１件以降の投稿ボイスのリストが表示される。
ボイスプロフページＰ４の最下部には、トップページＰ１等と共通のメニューバーＡ８が表示される。メニューバーＡ８は、プロフアイコンＡ１５、ボイスアイコンＡ１６、お気に入りアイコンＡ１７、お知らせアイコンＡ１８、及び、マイプロフアイコンＡ１９を備えている。それぞれのアイコンが押下された際のジャンプ先のページはトップページＰ１等と同様である。
【００５７】
＜２−９：ボイスページ＞
次に、以上のようなボイスプロフページＰ４において、基本質問項目表示バナーＤ１３、追加質問項目表示バナーＤ２０、あるいは、投稿ボイス表示バナーＤ３０が押下された際に表示されるボイスページについて説明する。
図１７にボイスページＰ５の一例を示す。なお、図１７にはボイスページＰ５の全体を示しているが、端末装置２の表示部には、その表示部の大きさに応じてボイスページＰ５の一部が表示され、スクロールを行うことにより、ボイスページＰ５の他の部分を表示させることができる。
ボイスページＰ５は、タイトル表示領域Ｅ１、プロフィール表示領域Ｅ２、再生ボイス操作領域Ｅ３、コメント表示領域Ｅ４、コメント投稿領域Ｅ５、及び、トップページＰ１等と共通のメニューバーＡ８を備えている。
【００５８】
タイトル表示領域Ｅ１には、そのページのタイトルが表示される。図１７に示す例では、「ボイス」の文字が表示されている。
プロフィール表示領域Ｅ２には、プロフィール画像Ｅ１０、ニックネーム表示Ｅ１１、矢印アイコンＥ１２が表示される。矢印アイコンＥ１２が押下されると、図１５及び図１６に示すボイスプロフページＰ４が表示されるようになっている。プロフィール画像Ｅ１０、及び、ニックネーム表示Ｅ１１は、図７に示す新規登録ページＰ２で設定した内容がそのまま用いられる。
【００５９】
再生ボイス操作領域Ｅ３には、質問事項または投稿テーマ表示Ｅ２０、再生ボタンＥ２１、再生ゲージＥ２２、再生回数表示Ｅ２３、いいね表示Ｅ２４、いいね数表示Ｅ２５、コメント表示Ｅ２６、コメント数表示Ｅ２７、お気に入りボタンＥ２８、不適切コンテンツ報告バナーＥ２９を備えている。
質問事項または投稿テーマ表示Ｅ２０には、図１５及び図１６に示す基本質問項目表示バナーＤ１３、追加質問項目表示バナーＤ２０、あるいは、投稿ボイス表示バナーＤ３０に対応する基本質問項目、追加質問項目、または、投稿テーマのいずれかが表示される。
再生ボタンＥ２１が押下されると、入力済みの音声が再生される。再生ゲージＥ２２には、再生時間の経過に伴ってゲージが動的に表示される。再生回数表示Ｅ２３には、再生が行われた回数が累積されて表示される。
【００６０】
いいね表示Ｅ２４が押下されると、いいね数表示Ｅ２５のいいね数が累積されて表示される。また、いいね数Ｅ２５が押下された場合に、いいねが押下されたボイスの一覧を表示させるようにしてもよい。
コメント表示Ｅ２６が押下されると、後述するコメント投稿領域Ｅ５まで画面がスクロールされ、コメントの入力と投稿が可能となる。また、コメント投稿が完了すると、コメント数表示Ｅ２７のコメント数が累積されて表示される。
お気に入りボタンＥ２８が押下されると、当該利用者のボイスがお気に入り一覧ページ（図示せず）に登録される。お気に入り一覧ページは、メニューバーＡ８のお気に入りアイコンＡ１７が押下された場合に表示される。
不適切コンテンツ報告バナーＥ２９が押下されると、当該ボイスが不適切なコンテンツであるとして、管理サーバ１に報告が行われる。なお、この際、テキスト入力が可能な画面を表示させ、どういう点が不適切なのかを入力させるようにしてもよい。
【００６１】
コメント表示領域Ｅ４は、コメントを投稿した利用者のプロフィール画像Ｅ３０、当該利用者のニックネーム表示Ｅ３１、及び、投稿したコメント表示Ｅ３２を備えている。なお、利用者本人が投稿したコメントには、削除ボタンを表示させて、コメントを削除できるようにしてもよい。コメント表示領域Ｅ４には１０件までのコメントが表示され、コメントが１１件以上の場合には、コメント表示領域Ｅ４の下部にもっと見るボタンＥ３３が表示される。もっと見るボタンＥ３３を押下することにより、１１件以降のコメントを見ることができる。
、コメント投稿領域Ｅ５には、コメント投稿欄Ｅ４０と、送信ボタンＥ４１が表示される。コメント投稿欄Ｅ４０にコメントが入力され、送信ボタンＥ４１が押下されることにより、当該コメントがコメント表示領域Ｅ４に表示されることになる。なお、コメント投稿領域Ｅ５が押下された場合に、コメント入力画面を表示させるようにしてもよい。
ボイスプロフページＰ４の最下部には、トップページＰ１等と共通のメニューバーＡ８が表示される。メニューバーＡ８は、プロフアイコンＡ１５、ボイスアイコンＡ１６、お気に入りアイコンＡ１７、お知らせアイコンＡ１８、及び、マイプロフアイコンＡ１９を備えている。それぞれのアイコンが押下された際のジャンプ先のページはトップページＰ１等と同様である。
なお、ボイスログテーブルＴＢＬ１３の位置情報フィールドＦ５に位置情報が記録されているボイスの場合には、お気に入りボタンＥ２８と不適切コンテンツ報告バナーＥ２９の間の表示領域に、当該位置情報に基づく地図表示を行うようにしてもよい。
【００６２】
＜２−１０：会員ページ＞
次に、図１８及び図１９を参照して、図１４に示すような所定のＳＮＳにおける投稿内に表示された会員ページのリンク、あるいは、メール等により通知した会員ページのリンクが押下された場合の処理について説明する。
前記会員ページのＵＲＬのリンクが押下されると、端末装置２のＣＰＵ４０は、管理サーバ１に対して、当該ＵＲＬと共に会員ページの閲覧要求を送信する（Ｓ２００）。
当該ＵＲＬと会員ページの閲覧要求を受信した管理サーバ１のＣＰＵ３０は、当該ＵＲＬに含まれるプロフＩＤを取得し（Ｓ１００）、利用者情報テーブルＴＢＬ１１から当該プロフＩＤに該当するレコードを抽出する。そして、抽出したレコードから、当該利用者のニックネーム、プロフィール画像、プロフィールテキスト等の種々の情報を取得する（Ｓ１０１）。
さらに、管理サーバ１のＣＰＵ３０は、ボイスログテーブルＴＢＬ１３を参照し、当該利用者が入力を行った音声入力の種類、あいるは、ファイルの格納先等の情報を取得する（Ｓ１０２）。
そして、以上のようにして取得した情報に基づいて、会員ページの表示情報を例えばＨＴＭＬ等により生成し（Ｓ１０３）、生成した会員ページの表示情報等を含む会員ページの閲覧応答を端末装置２に送信する（Ｓ１０４）。
会員ページの閲覧応答を受信した端末装置２のＣＰＵ４０は、受信した会員ページの表示情報等に基づいて、ブラウザにより会員ページを表示させる（Ｓ２０１）。
【００６３】
図１８に会員ページＰ１０の一例を示す。会員ページＰ１０の表示態様は、図１５及び図１６に示すボイスプロフページＰ４とほぼ同様であるが、お気に入りボタン及びブロックボタンが表示されず、また、設定項目の表示領域がない点がボイスプロフページＰ４とは異なっている。
会員ページＰ１０は、タイトル表示領域Ｋ１、プロフィール表示領域Ｋ２、プロフＩＤ表示領域Ｋ３、ＵＲＬ表示領域Ｋ４、基本プロフボイス表示領域Ｋ５、追加プロフボイス表示領域Ｋ６、投稿ボイス表示領域Ｋ７、及び、音声プロフィールサービス専用のアプリケーションのダウンロードリンクＫ５０を備えている。
【００６４】
タイトル表示領域Ｋ１には、そのページのタイトルが表示される。図１８に示す例では、ボイスプロフィールを略した「ボイスプロフ」の文字が表示されている。
プロフィール表示領域Ｋ２には、プロフィール画像Ｋ１０、ニックネーム表示Ｋ１１、テキストによるプロフィール表示Ｋ１２が表示される。プロフィール画像Ｋ１０、ニックネーム表示Ｋ１１、及び、テキストによるプロフィール表示Ｋ１２は、図７に示す新規登録ページＰ２で設定した内容がそのまま用いられる。
【００６５】
基本プロフボイス表示領域Ｋ５には、図７に示す新規登録ページＰ２で入力した基本質問項目に対応する基本質問項目表示バナーＫ２０が表示される。図１８には基本質問項目の一部しか表示されていないが、画面をスクロールすることにより、残りの基本質問項目も表示されるようになってい。また、基本質問項目表示バナーＫ２０には、質問項目表示Ｋ２１、いいね数表示Ｋ２２、コメント数表示Ｋ２３、再生ボタンアイコンＫ２４、及び、再生回数表示Ｋ２５が表示される。基本質問項目表示バナーＫ２０のそれぞれを押下することにより、質問項目に対する音声により回答が再生されるようになっている。その結果、音声プロフィールサービスに対する未登録者であっても、会員登録の必須の項目である基本質問項目については音声による回答を聞くことができ、音声プロフィールサービスに対して興味を持つことが期待される。
【００６６】
追加プロフボイス表示領域Ｋ６には、音声による回答を行った追加の質問項目のみが表示されるようになっている。図１８には追加質問項目の一部しか表示されていないが、会員ページでは追加質問項目に対する回答の再生は行われないので、このように一部の表示に限定してもよい。但し、画面をスクロールすることにより、残りの追加質問項目も表示されるようにしてもよい。
また、追加質問項目表示バナーＫ３０は、追加質問項目表示Ｋ３１、いいね数表示Ｋ３２、コメント数表示Ｋ３３、再生ボタンアイコンＫ３４、及び、再生回数表示Ｋ３５が表示される。但し、会員ページにおいては、再生ボタンアイコンＫ３４が押下されても追加質問項目に対する回答の再生は行われない。再生ボタンアイコンＫ３４が押下された際には、「この項目は会員登録しないと再生できません」等のメッセージを表示させるようにしてもよい。また、図１８の例では、再生できないことを示すために再生ボタンアイコンＫ３４の表示態様を、再生ボタンアイコンＫ２４と異ならせて表示させている。
【００６７】
投稿ボイス表示領域Ｋ７には、投稿ボイス表示バナーＫ４０、投稿テーマ表示Ｋ４１、いいね数表示Ｋ４２、コメント数表示Ｋ４３、再生ボタンアイコンＫ４４、再生回数表示Ｋ４５が表示される。投稿ボイス表示領域Ｋ７には、音声による入力を行った投稿ボイスのみが表示されるようになっている。図１８には投稿ボイスの一部しか表示されていないが、会員ページでは投稿ボイスの再生は行われないので、このように一部の表示に限定してもよい。但し、画面をスクロールすることにより、残りの投稿ボイスも表示されるようにしてもよい。
会員ページにおいては、再生ボタンアイコンＫ４４が押下されても投稿テーマに対する回答の再生は行われない。再生ボタンアイコンＫＫ４４が押下された際には、「この項目は会員登録しないと再生できません」等のメッセージを表示させるようにしてもよい。また、図１８の例では、再生できないことを示すために再生ボタンアイコンＫ４４の表示態様を、再生ボタンアイコンＫ４４と異ならせて表示させている。
【００６８】
ダウンロードリンクＫ５０は、音声プロフィールサービス専用のアプリケーションのダウンロードリンクである。ダウンロードリンクＫ５０が押下されると、音声プロフィールサイト専用のアプリケーションをダウンロード可能なページにジャンプするようになっている。このように、会員ページＰ１０に音声プロフィールサービス専用のアプリケーションのダウンロードリンクを表示させておくことにより、会員ページにアクセスした未登録者が音声プロフィールサービスに新規登録することが期待される。
【００６９】
以上のように、本実施形態によれば、音声プロフィールサービス専用のアプリケーション経由でボイスプロフページが閲覧された場合には、全ての質問項目あるいは投票ボイスを再生可能とし、ブラウザにより会員ページが閲覧された場合には、一部のテーマとして基本質問項目に対する回答のみを再生可能としたので、基本質問項目に対する回答以外についても音声入力を聞いてみたいと考える未登録者による音声プロフィールサービスへの新規登録が期待される。
【００７０】
＜変形例＞
本発明は、上述した各実施形態に限定されるものではなく、以下に述べる各種の変形が可能である。また、各変形例及び各実施形態は、適宜、組み合わせてもよいことは勿論である。
【００７１】
上述した実施形態においては、音声プロフィールサービスへの会員登録の条件を、ニックネームの入力、プロフＩＤの入力、テキストによるプロフィールの入力、及び、全ての基本質問事項に対する音声による回答を行うこととしたが、本発明はこのような例に限定されるものではない。これらのうちの少なくとも一つが行われれば会員登録するようにしてもよいし、これらのうちのいくつかが行われれば会員登録するようにしてもよい。
また、ブラウザにより会員ページにアクセスした場合には、再生できる項目を一部に制限する例について説明したが、本発明はこのような例に限定されるものではなく。例えば、会員ページであっても、全ての項目について再生可能とし、再生時間を短く制限するようにしてもよい。
【００７２】
また、上述した実施形態においては、ブラウザにより会員ページにアクセスした場合には、アクセスした者が会員かどうかに拘わらず、再生可能な項目を基本質問事項だけに制限する例について説明したが、本発明はこのような例に限定されるものではない。例えば、ブラウザにより会員ページにアクセスした者が既に会員である場合には、当該会員が回答している事項については再生できるようにしてもよい。さらに、ブラウザにより会員ページにアクセスした者が非会員の場合に、所定のアンケート等に回答する等の条件をクリアすれば、再生可能な項目を増やすようにしてもよい。
【００７３】
また、上述した実施形態においては、ブラウザにより会員ページにアクセスした場合には、会員登録を行うために必須の項目である基本質問事項に対する回答のみを再生可能としたが、基本質問事項以外の項目も再生可能な項目に含めるようにしてもよい。また、再生可能な項目は、会員登録を行うために必須の項目である基本質問事項の一部であってもよい。
【００７４】
上述した実施形態では、音声プロフィールサイトにおいて、プロフィール項目の入力を音声で行う場合について説明したが、本発明はこのような例に限定されるものではなく、例えば、テキスト等により入力を行う場合にも適用可能である。
また、本発明は、プロフィールサイトに適用する場合に限定されるものではなく、広く質問に対する回答を行う場合、あるいは、所定のテーマに対して利用者が意見等を表明するような場合にも適用可能である。
【００７５】
また、上述した実施形態においては、追加質問等に対する回答が完了しているか否かを、録音状態表示アイコンの表示態様を変更することによって表現したが、本発明はこのような例に限定されるものではない。例えば、録音状態表示アイコンの代わりに、回答が完了している追加質問事項等においては再生ボタンアイコンを表示させ、回答が完了していない追加質問事項等においては再生ボタンアイコンを表示させないようにしてもよい。
【００７６】
上述した実施形態においては、基本質問項目表示バナー、追加質問項目表示バナー、あるいは投稿ボイス表示バナーをリスト化して表示するようにしたが、その並び順は、新しい順、もしくは、いいね数が多い等の評価が高い順にしてもよい。
【００７７】
さらに、上述した実施形態においては、記憶部１５を管理サーバ１に備える例について説明したが、記憶部１５は、管理サーバ１以外の専用サーバや、他のサービスと兼用したサーバで管理する、所謂クラウドの態様であってもよい。
【００７８】
また、上述した実施形態においては、端末装置２にネイティブアプリケーションをインストールして各ページ等を表示させる例について説明したが、表示情報を管理サーバ１において生成し、端末装置２で起動させたブラウザ等により、当該表示情報に基づいて各ページ等を表示させるようにしてもよい。
【００７９】
なお、上述した実施形態においては、基本質問項目は音声プロフィールサービスへの会員登録の条件としたが、基本質問項目についての回答の再生は、会員登録していない者にも許可するようにしてもよい。つまり、基本質問項目のような特定テーマについては、当該特定テーマに対する回答の入力の有無に拘わらず、再生を許可するようにしてもよい。
【００８０】
なお、本発明は上述の各実施形態及び変形例に限定されるものではなく、本発明の趣旨の範囲内での変更は本発明に含まれるものである。  
【符号の説明】
【００８１】
ＮＥＴ……通信網、１……管理サーバ、２……端末装置、１０……管理部、１１……制御部、１２……登録部、１３……通知部、１４……取得部、１５……記憶部、１８……表示制御部、２１……入力部、２３……表示部。
【図１】
2014032449.tif 000003
【図２】
2014032449.tif 000004
【図３】
2014032449.tif 000005
【図４】
2014032449.tif 000006
【図５】
2014032449.tif 000007
【図６】
2014032449.tif 000008
【図７】
2014032449.tif 000009
【図８】
2014032449.tif 000010
【図９】
2014032449.tif 000011
【図１０】
2014032449.tif 000012
【図１１】
2014032449.tif 000013
【図１２】
2014032449.tif 000014
【図１３】
2014032449.tif 000015
【図１４】
2014032449.tif 000016
【図１５】
2014032449.tif 000017
【図１６】
2014032449.tif 000018
【図１７】
2014032449.tif 000019
【図１８】
2014032449.tif 000020
【図１９】
2014032449.tif 000021